(57)【要約】【課題】使用者が予約運転の設定にて、予約運転終了時刻までに終えることのできない運転コース内容を設定した場合においても、予約終了時刻に運転コースを終了可能とする洗濯乾燥システムを提供すること。【解決手段】洗濯乾燥装置１と洗濯乾燥装置の運転状態を確認する情報端末装置３７と、洗濯乾燥装置と情報端末装置は両者間でデータを送受信するデータ通信手段２７ａ、２７ｂを、情報端末装置は予約運転の終了時刻を設定する終了時刻設定手段３４と、運転コースの内容を設定する運転内容設定手段３３とを備え、情報端末装置は、予約運転終了時刻までに終えることのできない運転コース内容を設定した場合、前記終了時刻設定手段により終了時刻の再設定を行うことにより、予約終了時刻に運転コースを終了させることが可能となる。【選択図】図２
2005110967.tif 000002
【特許請求の範囲】
【請求項１】
洗濯および乾燥までの逐次制御を行う洗濯乾燥装置と前記洗濯乾燥装置を遠隔操作する情報端末装置とを備えた洗濯乾燥システムであり、前記洗濯乾燥装置は運転コースの内容などのデータを送信または受信するデータ通信手段を備え、前記情報端末装置は予約運転の終了時刻を設定する終了時刻設定手段と、運転コースの内容を設定する運転内容設定手段と、運転コースの内容などのデータを送信または受信するデータ通信手段とを備え、前記情報端末装置は、前記終了時刻設定手段により終了時刻を設定後に前記運転設定手段により運転内容を設定する場合、かつ、運転コースに要する時間が予約開始より運転終了までの時間より長い場合、前記終了時刻設定手段により終了時刻の再設定を行わせる洗濯乾燥システム。
【請求項２】
情報端末装置は洗濯乾燥装置の運転状態などを表示する表示手段を備え、情報端末装置は、前記表示手段により予約設定の再設定の報知を行う請求項１に記載の洗濯乾燥システム。
【請求項３】
情報端末装置は洗濯乾燥装置の運転状態などを表示する表示手段を備え、情報端末装置は、前記表示手段により運転コースに要する時間を表示する請求項１または２に記載の洗濯乾燥システム。
【請求項４】
情報端末装置は、運転コースに要する時間が予約開始より運転終了までの時間より長い場合であっても所定の範囲内である場合、運転コースを開始するようにした請求項１に記載の洗濯乾燥システム。
【請求項５】
情報端末装置は運転コースを開始可能とする入力設定手段を備え、情報端末装置は、終了時刻の再設定を行う場合、前記入力設定手段の操作により運転コースを開始可能とした請求項１に記載の洗濯乾燥システム。
【請求項６】
請求項１〜５のいずれか記載の洗濯乾燥システムにて少なくとも一つの機能をコンピュータに実行させるためのプログラム。
【発明の詳細な説明】
【技術分野】
【０００１】
本発明は、情報端末装置にて使用者が設定した予約運転の内容を、情報端末装置にネットワーク接続された洗濯乾燥装置に対して転送し実行するシステムに関するものである。
【背景技術】
【０００２】
近年、通信回線を利用して（予めサービス契約をした企業の）センターサーバとの間で、宅内機器の状態データをセンターサーバに送信し、センターサーバから宅内機器の拡張機能用データをダウンロードし、一方、宅内機器との間で、宅内機器から機器状態データを受信して閲覧し、宅内機器へ運転コースなどの機器制御データを送信して機器の運転コース内容を自由に設定したり、機器の電源入り切りなど機器制御を行う情報端末装置が普及し始めている（例えば特許文献１参照）。
【０００３】
さらに、最近では、情報端末装置と（本発明の宅内機器である）洗濯乾燥装置からなる洗濯乾燥システムにおいて、使用者が通信回線（インターネットなど）を利用して（洗濯乾燥装置の製造元である）企業のセンターサーバから好みの運転コースを情報端末装置に「ダウンロード」し、ダウンロードした運転コースを洗濯乾燥装置に「転送」して実行する構成も提案されており、以下、その構成について説明する（例えば特許文献２参照）。
【０００４】
図１１は従来この種の洗濯乾燥システムのシステムブロック図であり、１は洗濯乾燥装置、２は情報端末装置である。これら洗濯乾燥装置１と情報端末装置２との間は、後述する無線による通信手段によって通信が行われる。
【０００５】
図１２は洗濯乾燥装置１の縦断面図である。図に示すように、筐体３は、内部に、複数のサスペンション４によって外槽５を弾性的に吊支し、運転時の振動をサスペンション４によって吸収する構成としている。外槽５の内部には、回転中心軸を鉛直方向に有し洗濯物および乾燥対象物（以下、衣類という）を収容する内槽６を回転自在に支持し、内槽６の内底部に衣類を攪拌する回転翼７を回転自在に設けている。回転翼７は、外周が傾斜面形状の鍋型に形成している。
【０００６】
内槽６の内部周壁には多数の小孔（図示せず）を設け、その上方には流体バランサ８を設けている。そして、外槽５および内槽６の底部中心付近には、中空で二軸構造をしている洗濯・脱水軸９と、洗濯または脱水時により回転力の伝達を洗濯・脱水軸９に切り換えるクラッチ１０を設けている。モータ（駆動手段）１１は、外槽５に設け、クラッチ１０を介して内槽６または回転翼７を駆動するようにしている。
【０００７】
外槽５の下部から、伸縮自在の下部蛇腹状ホース１２を介して循環ダクト１３へと通路を構成し、循環ダクト１３の出口は乾燥用送風機（送風手段）１４の入口に連結している。乾燥用送風機１４の出口は通路１３ａに連結し、この通路１３ａ内に加熱手段であるヒータ１５を設け、通路１３ａに伸縮自在の上部蛇腹状ホース１６を連結している。上部蛇腹ホース１６は、内槽６へ向けて開口しており、内槽６は、内部周壁の小孔を通して外槽５に通じているので、これら通路は循環する経路を構成している。
【０００８】
内槽６の上部には開閉自在の内蓋１７を設けており、開閉検知手段１８は内蓋１７の開閉状態を常に把握している。また、内蓋１７の近傍には、伸縮自在の上部蛇腹状ホース１６からつづく温風噴出孔１９を開けている。冷却用送風機（冷却送風手段）２０は、筐体３の側面に取り付け、筐体３の内部に外気を導入できるように構成している。排水弁２１は外槽５内の水を排水するものであり、切換弁２２は循環路を切り換えるものである。
【０００９】
給水弁２３は内槽６内に給水するものであり、水位検知手段２４は外槽５内の水位を検知するものである。
【００１０】
洗濯乾燥制御手段２５は、マイクロコンピュータなどで構成し、水位検知手段２４、開閉検知手段１８の出力を入力し、操作手段２６により設定された設定内容に基づき、クラッチ１０、モータ１１、乾燥用送風機１４、ヒータ１５、冷却用送風機２０、排水弁２１、切換弁２２、給水弁２３などの動作を制御して洗濯および乾燥行程を制御する。
【００１１】
図１３は洗濯乾燥装置１の内部ブロック図であり、２７ａはデータ通信手段で洗濯乾燥制御手段２５が把握している洗濯機乾燥装置１の運転状態および機器制御に関するデータを情報端末装置２との間で無線にて送受信するものである。なお、洗濯乾燥制御手段２５は、クラッチ１０、モータ１１、乾燥用送風機１４、ヒータ１５、冷却用送風機２０、排水弁２１、切換弁２２、給水弁２３などの外部負荷を制御するが図への表記を省略する。
【００１２】
図１４は情報端末装置２の内部ブロック図、図１５は情報端末装置２の正面図、図１６は後述する表示手段（液晶画面）に表示する画面内容の一例であり、２９はカラー画像も表示可能な液晶画面（表示手段）、３０は表示手段２９の画面上に設けた透明フィルム状のタッチパネル（入力設定手段）であり、図１６に示すように、例えば表示手段２９にて表示した表示内容２９ａにて、使用者が「スタートボタン（画像）」２９ｂを押下した場合、画面上に設けられたタッチパネル（入力設定手段）３０は（あたかも）ボタンを押下したかように出力を行う。３１はスピーカ（音声出力手段）であり確認音や警告音などのブザー音を吹鳴するものである。２８は通信回線接続手段であり通信回線（インターネットなど）を介して（洗濯乾燥装置の製造元である）企業のセンターサーバなどに常時接続している。３２は情報端末装置２の制御手段であり通信回路接続手段２８からの運転コースデータなどを入力し、入力設定手段３０からの出力を入力し、洗濯乾燥装置１の制御データをデータ通信手段２７ｂへ出力することにより洗濯乾燥装置１へ運転コースデータを転送する。また、データ通信手段２７ｂにて洗濯乾燥装置１から（アンテナ部２７ｃを経由して）受け取った洗濯乾燥装置１の運転状態を表示手段２９にて表示し、音声出力手段３１にてブザー音を吹鳴させるものである。３３は予約運転を行う場合の運転コースを設定するものであり、３４は予約運転を行う場合に予約運転の終了時刻を設定するものである。
【００１３】
上記構成において動作を説明する。
【００１４】
まず、洗い行程、すすぎ行程、脱水行程の３つの行程からなる洗濯行程と乾燥行程について、図１２を参照しながら説明する。内槽６に衣類３５を投入して操作部２６にて運転を開始すると、洗い行程では、給水弁２３を駆動し、水位検知手段２４により検知した水位が上記の（決定した）洗濯水位になるまで給水し、モータ１１を駆動して回転翼７を動作させ衣類３５を洗浄する。このとき、排水弁２１と切換弁２２は閉じている。
【００１５】
その後、排水弁２１を開いて排水し、再度給水し洗い行程と同様にして衣類を濯ぐすすぎ行程を経て、脱水行程では、衣類３５が入った内槽６を高速で回転させることによって生じる遠心力により、衣類３５が内槽６の内壁に押しつけられることになり、この遠心力で水分が衣類３５から分離されて脱水される。
【００１６】
洗濯行程を終え衣類３５を乾燥する乾燥行程では、切換弁２２を開いた状態で、乾燥用送風機１４の送風とヒータ１５の発熱により、上部蛇腹状ホース１６、温風噴出孔１９を通して内槽６へ乾いた温風が送り込まれる。
【００１７】
このとき、衣類３５、回転翼７の左右回転により跳ね上げられたり、その後落下したりしている状態であり、内槽６へ送り込まれた温風は、これら衣類の動きの隙間を通るときに衣類から水分を奪い、湿った状態で、内槽６から外槽５の内側へと出た後、下部蛇腹状ホース１２を通過し、切換弁２２を通過して循環ダクト１３へ至る。この流れを、図では矢線で示している。
【００１８】
湿気を含んだ温風が、外槽５の内壁や循環ダクト１３内を通過しているとき、冷却用送風機２０による外部空気の流入で、外槽５や循環ダクト１３の外壁は冷却されることになり、湿った空気の水分はその内壁に結露し、湿った温風は除湿されて、乾燥用送風機１４へと戻る。外槽５の内壁に結露した水分は、切換弁２２を通過して、循環ダクト１３の内壁に結露した水分とともに排水口３６より適宜排出される。
【００１９】
次に、使用者が予約運転の内容を使用者の好みに応じて設定し洗濯乾燥装置１に転送する一連の流れを図１７から図２０を参照しながら説明する（なお、図２０は制御手段３２の要部動作を示すフローチャートである）。
【００２０】
図１７の２９ｃは、使用者が洗濯乾燥装置１の予約運転の内容を設定するメニュー画面の一例である。図に示すように、運転コース内容、および、予約設定（予約運転の終了時刻）の内容を個別に変更可能であり、例えば、運転コース内容を変更する場合、運転内容変更ボタン２９ｄ（運転内容設定手段３３）を押下することにより（図１８に示すように）運転コースの設定画面２９ｆが表示され好みの運転コースを選択する。一方、予約運転を設定する場合、図１７の予約終了時刻設定ボタン２９ｅ（終了時刻設定手段３４）を押下することにより（図１９に示すように）予約運転の終了時刻を設定する画面２９ｈが表示され、設定内容変更ボタン２９ｉおよび２９ｊを用いて予約運転の終了時刻を設定する。
【００２１】
ここで予約運転の終了時刻設定について図２０のフローチャートを用いて説明するが、図１９に示したように、最近の洗濯乾燥装置１の予約設定では、設定操作が容易な理由から、現在の時刻から何時間後に運転を終了させるかを１時間単位で設定する方法が一般的であり、例えば、洗い行程から乾燥終了までの運転コースに５時間を要する「標準コース」を運転内容設定手段３３にて設定し、予約運転の設定（終了時刻設定手段３４）にて予約運転の終了時刻を「（現在時刻から）７時間後」に設定して予約運転を開始した場合、フローチャートのＳ１にて運転開始時間の算出を行うが、具体的には（この例であれば）７時間後に予約運転を終えるため運転コースに要する５時間を差し引いた２時間を運転開始までの時間（予約待機時間）として算出し、Ｓ２にて運転開始時間になったかを判定した後、Ｓ３にて洗い行程〜乾燥行程までの一連の運転コースを実行して予約運転を終えるが、予約運転を終えたタイミングは（この場合）予約運転を開始してから７時間後であることは言うまでもない。
【特許文献１】特開２００２−１８６０５７号公報
【特許文献２】特開２００３−４７０７４号公報
【発明の開示】
【発明が解決しようとする課題】
【００２２】
しかしながら、前記従来の構成では、予約運転の設定（終了時刻設定手段３４）により終了時刻を設定した後に運転内容設定手段３３により運転内容を設定する手順が可能である。
【００２３】
つまり、運転コースに要する時間が予約開始より運転終了までの時間より長い設定が可能になるわけだから、例えば、予約運転の設定を「（現在時刻から）１時間後」に設定した後に運転コースの所要時間（洗い行程から乾燥終了までに要する時間）が５時間のコースを設定した場合、図２０のフローチャートにおけるＳ１にて運転開始までの予約待機時間はマイナスの値となり、実際にはＳ２にて直ちに洗い〜乾燥行程の運転コースを開始するが、Ｓ３を終えるタイミングは使用者の設定した予約運転終了時刻より４時間も遅れると言う課題を有していた。
【００２４】
本発明は、前記従来の課題を解決するもので、予約運転を行う際に、運転コース内容と予約運転終了時刻の設定内容に矛盾が生じた場合においても予約終了時刻に運転コースを終了可能とする洗濯乾燥システムを提供することを目的とする。
【課題を解決するための手段】
【００２５】
前記従来の課題を解決するために、本発明の洗濯乾燥システムは、使用者が終了時刻設定手段により予約運転の終了時間を設定した後に運転設定手段により運転コースを設定した場合で、かつ、運転コースに要する時間が予約開始より運転終了までの時間より長い場合、終了時刻設定手段により使用者に終了時刻の再設定をさせるものである。
【００２６】
これによって、予約運転を行う際に、運転コース内容と予約運転終了時刻の設定内容に矛盾が生じた場合、つまり、今から直ちに運転コースを開始したとしても運転コースを終える時刻が予約運転の終了時刻を明らかに超えるような設定を行った場合、再度、予約運転の終了時刻を設定し直すことにより予約終了時刻に運転コースを終了することができる。
【発明の効果】
【００２７】
本発明の洗濯乾燥システムは、使用者が予約運転を行う際に、運転コース内容の設定と、予約運転終了時刻の設定との間で設定内容に矛盾が生じた場合、つまり（仮に）今から直ちに運転コースを開始したとしても運転コースを終える時刻が予約運転の終了時刻を明らかに超えるような設定を行った場合においても、予約設定直後に、再度、使用者に予約運転の終了時刻を設定し直させることにより予約終了時刻に運転コースを終了することができる。
【発明を実施するための最良の形態】
【００２８】
第１の発明は、洗濯および乾燥までの逐次制御を行う洗濯乾燥装置と前記洗濯乾燥装置を遠隔操作する情報端末装置とを備えた洗濯乾燥システムであり、前記洗濯乾燥装置と前記情報端末装置は運転コースの内容などのデータを送信または受信するデータ通信手段を、前記情報端末装置は予約運転の終了時刻を設定する終了時刻設定手段と、運転コースの内容を設定する運転内容設定手段とを備え、前記情報端末装置は、前記終了時刻設定手段により終了時刻を設定後に前記運転設定手段により運転内容を設定する場合、かつ、運転コースに要する時間が予約開始より運転終了までの時間より長い場合、前記終了時刻設定手段により終了時刻の再設定を行わせるようにしたことにより、使用者が予約運転を行う際に、運転コース内容の設定と、予約運転終了時刻の設定との間で設定内容に矛盾が生じた場合、つまり（仮に）今から直ちに運転コースを開始したとしても運転コースを終える時刻が予約運転の終了時刻を明らかに超えるような設定を行った場合においても、予約設定直後に、再度、使用者に予約運転の終了時刻を設定し直させることにより予約終了時刻に運転コースを終了することができる。
【００２９】
第２の発明は、特に、第１の発明の洗濯乾燥システムにて、情報端末装置は洗濯乾燥装置の運転状態などを表示する表示手段を備え、情報端末装置は、前記表示手段により予約設定の再設定の報知を行うことにより、使用者に対して、運転コース内容の設定と、予約運転終了時刻の設定との間で設定内容に矛盾が生じた旨を速やかに知らせることができる。
【００３０】
第３の発明は、特に、第１および第２の発明の洗濯乾燥システムにて、情報端末装置は洗濯乾燥装置の運転状態などを表示する表示手段を備え、情報端末装置は、前記表示手段により運転コースに要する時間を表示することにより、予約運転終了時刻を再設定する際に、最低設定時刻の目安を容易に知ることができる。
【００３１】
第４の発明は、特に、第１の発明の洗濯乾燥システムにて、情報端末装置は、運転コースに要する時間が予約開始より運転終了までの時間より長い場合であっても所定の範囲内である場合、運転コースを開始することにより、厳密に言えば、今から直ちに運転コースを開始したとしても運転コースを終える時刻が予約運転の終了時刻を超える場合においても、超える時間が例えば数秒〜１分程度であれば（誤差の範囲内と考え）直ちに運転コースをスタートさせることにより予約終了時刻を満足する時刻に運転コースを終了することができる。
【００３２】
第５の発明は、特に、第１の発明の洗濯乾燥システムにて、情報端末装置は運転コースを開始可能とする入力設定手段を備え、情報端末装置は、終了時刻の再設定を行う場合、前記入力設定手段の操作により運転コースを開始可能にすることにより、使用者に対して運転コースは予約終了時刻に終えることができないことを知らせつつ、使用者は（割り切って）直ちに運転コースを開始させることができる。
【００３３】
第６の発明は、特に、第１〜５のいずれか１つの発明の洗濯乾燥システムの機能の少なくとも一つをコンピュータに実現させるためのプログラムである。この構成によれば、洗濯乾燥システムは、予約運転を行う際に、運転コース内容の設定と、予約運転終了時刻の設定との間で設定内容に矛盾が生じた場合においても、再度、使用者に予約運転の終了時刻を設定し直させることにより予約終了時刻に運転コースを終了することができる。また、プログラムであるのでマイコンなどを用いて本発明の洗濯乾燥システムの一部あるいは全てを容易に実現することができる。また記録媒体に記録したり通信回線を用いてプログラムを配信したりすることでプログラムの配布が簡単にできる。
【００３４】
以下、本発明の実施の形態について、図面を参照しながら説明する。なお、この実施の形態によって本発明が限定されるものではない。なお、前記背景技術と同じ構成のものは同一符号を付して説明を省略する。
【００３５】
（実施の形態１）
図１は本発明の第１の実施の形態における洗濯乾燥システムのシステムブロック図、図２は情報端末装置の内部ブロック図、図３は情報端末装置における制御手段の要部動作を示すフローチャートである。なお、情報端末装置３７、制御手段３８と表記している以外は従来の構成と同じである。
【００３６】
以上のように構成された洗濯乾燥システムについて、以下その動作、作用を説明する。
【００３７】
使用者が運転コースの予約を設定する場合で、最初に終了時刻設定手段３４にて予約運転の終了時刻を設定し、その後に、運転内容設定手段３３にて運転コースを設定する手順を考える。今回の場合は（わかりやすいように）終了時刻設定手段３４にて予約運転の終了時刻を「（現在時刻から）１時間後」に設定し、その後に、運転内容設定手段３３にて、洗い行程から乾燥終了までの運転コースに５時間を要する「標準コース」を設定した上で（図１６のスタートボタン２９ｂを押下し）予約運転を開始する場合を例として説明する。
【００３８】
予約運転を開始すると、図３のフローチャートに示すように、フローチャートのＳ１にて（予約運転開始後に実際に運転コースを開始するまでの待機時間はどれぐらいかを算出する）運転開始時間の算出処理を行うが、この例であれば、終了時刻設定手段３４により１時間後に予約運転を終える設定がされている反面、運転内容設定手段３３により運転に５時間を要する標準コースが設定されている訳であるから、Ｓ１では運転開始までの予約待機時間はマイナスの値となり、Ｓ４にて予約設定の内容に矛盾があるかを判断し、運転コースに要する時間が予約開始より運転終了までの時間より長い場合、Ｓ５にて図１９に示したように予約運転の終了時刻を設定する画面２９ｈを（再度）表示して予約運転の終了時刻を再設定行う（終了時刻の再設定後は、Ｓ１とＳ４にて予約運転の設定内容に矛盾がないかを再度チェックする）。
【００３９】
これにより、使用者が予約運転を行う際に、運転コース内容の設定と、予約運転終了時刻の設定との間で設定内容に矛盾が生じた場合、つまり（仮に）今から直ちに運転コースを開始したとしても運転コースを終える時刻が予約運転の終了時刻を明らかに超えるような設定を行った場合においても、予約設定直後に、再度、使用者に予約運転の終了時刻を設定し直させることにより予約終了時刻に運転コースを終了することができる。
【００４０】
なお、本実施の形態では、データ送信手段２７ａおよび２７ｂは、洗濯乾燥装置１と情報端末装置３７との間で運転状態や制御データを双方向にて送受信するように示したが、洗濯乾燥装置１の運転状態のデータを情報端末装置３７に対して送信する片方向の通信形態をとっても構わない。
【００４１】
また、本実施の形態では通信媒体として無線を用いているが、専用線による有線通信、電灯線搬送通信、赤外線通信、光ファイバ通信など、いずれの通信媒体を用いても同様の効果を有するものである。
【００４２】
（実施の形態２）
図４は、本実施の形態２の情報端末装置３７における制御手段３８の要部動作を示すフローチャート、図５は表示手段２９に表示する画面の一例である。なお、情報端末装置の内部ブロック図は実施の形態１と同じ構成である。
【００４３】
以上のように構成された洗濯乾燥システムについて、以下その動作、作用を説明する。
【００４４】
使用者が、本発明の第１の実施の形態と同様に、終了時刻設定手段３４にて予約運転の終了時刻を「（現在時刻から）１時間後」に設定し、その後に、運転内容設定手段３３にて所要時間が５時間の運転コース（標準コース）を設定し、その後、（図１６のスタートボタン２９ｂを押下し）予約運転を開始すると、図４のフローチャートのＳ４にて（運転コースに要する時間が予約開始より運転終了までの時間より長いことから）予約設定の内容に矛盾があると判断し、Ｓ６にて表示手段２９に（図５に示したような）予約異常画面２９ｋを表示する（その後に、Ｓ５にて予約運転終了時刻設定の再設定を行う）。
【００４５】
これにより、使用者に対して、運転コース内容の設定と、予約運転終了時刻の設定との間で設定内容に矛盾が生じた旨を速やかに知らせることができる。
【００４６】
なお、本実施の形態では、使用者に対する予約異常を報知する方法の一例として表示手段２９に異常画面（エラー画面）を表示させる方法をあげたが、あわせて音声出力手段３１により注意音ブザーあるいは音声ガイダンスを鳴らしても良い。
【００４７】
（実施の形態３）
図６は本実施の形態３の情報端末装置３７における制御手段３８の要部動作を示すフローチャート、図７は表示手段２９に表示する画面の一例である。なお、情報端末装置の内部ブロック図は実施の形態１と同じ構成である。
【００４８】
以上のように構成された洗濯乾燥システムについて、以下その動作、作用を説明する。
【００４９】
使用者が、本発明の第１の実施の形態と同様に、終了時刻設定手段３４にて予約運転の終了時刻を「（現在時刻から）１時間後」に設定し、その後に、運転内容設定手段３３にて所要時間が５時間の運転コース（標準コース）を設定し、その後、（図１６のスタートボタン２９ｂを押下し）予約運転を開始すると、図６のフローチャートのＳ４にて（運転コースに要する時間が予約開始より運転終了までの時間より長いことから）予約設定の内容に矛盾があると判断し、Ｓ６にて表示手段２９に（図５に示したような）予約異常画面２９ｋを表示した後に（実際には、この予約異常画面２９ｋ内の「確認ボタン」を押下して同画面を消去した後に)、Ｓ７にて（図７に示したように）予約運転の終了時刻を設定する画面２９Ｌを表示する際に、現在設定されている運転コースの内容（この場合であれば「標準コース」という表示）と運転コースを行うのに要する時間（この場合であれば「所要時間５時間」と言う表示）を２９ｍのように表示する。
【００５０】
これにより、使用者は、予約運転終了時刻を再設定する場合に、最低設定時刻の目安を容易に知ることができる。
【００５１】
（実施の形態４）
図８は本実施の形態４の情報端末装置３７における制御手段３８の要部動作を示すフローチャートである。なお、情報端末装置の内部ブロック図は実施の形態１と同じ構成である。
【００５２】
以上のように構成された洗濯乾燥システムについて、以下その動作、作用を説明する。
【００５３】
使用者が、終了時刻設定手段３４にて予約運転の終了時刻を「（現在時刻から）５時間後」に設定し、その後に、運転内容設定手段３３にて所要時間が「５時間１分」の運転コース（水量多め標準コース）を設定し、その後、（図１６のスタートボタン２９ｂを押下し）予約運転を開始すると、図８のフローチャートのＳ４にて（運転コースに要する時間が予約開始より運転終了までの時間より１分ほど長いことから）予約設定の内容に矛盾があると判断して、Ｓ８にて更に予約設定の矛盾度合いを判断し、運転コースに要する時間が予約開始より運転終了までの時間より長い場合であっても、その予約運転終了のタイミングから遅れて運転コースが終了するであろうタイミングまでの遅れ時間（運転終了オーバ時間）が５分以内であれば、予約設定に矛盾がない場合と同様の処理を行う（具体的には、Ｓ２、Ｓ３にて直ちに運転コースを開始する）。
【００５４】
これにより、厳密に言えば、今から直ちに運転コースを開始したとしても運転コースを終える時刻が予約運転の終了時刻を超える場合においても、超える時間が例えば数秒〜１分程度であれば、もともとの運転コースに要する時間の算出は、洗濯乾燥装置１の設置される様々な環境（給水能力や排水能力が少々低く給排水時間がかかるなど）を考慮して少々のマージン時間（おおよそ５分程度）を含んでいることから、直ちに運転コースをスタートさせることにより予約終了時刻を満足する時刻に運転コースを終了することができる。
【００５５】
（実施の形態５）
図９は本実施の形態５の情報端末装置３７における制御手段３８の要部動作を示すフローチャート、図１０は表示手段２９に表示する画面の一例である。なお、情報端末装置の内部ブロック図は実施の形態１と同じ構成である。
【００５６】
以上のように構成された洗濯乾燥システムについて、以下その動作、作用を説明する。
【００５７】
使用者が、本発明の第１の実施の形態と同様に、終了時刻設定手段３４にて予約運転の終了時刻を「（現在時刻から）１時間後」に設定し、その後に、運転内容設定手段３３にて所要時間が５時間の運転コース（標準コース）を設定し、その後、（図１６のスタートボタン２９ｂを押下し）予約運転を開始すると、図９のフローチャートのＳ４にて（運転コースに要する時間が予約開始より運転終了までの時間より長いことから）予約設定の内容に矛盾があると判断し、Ｓ５にて（図１０に示したように）予約運転の終了時刻を設定する画面２９ｎを表示する際に、予約運転の終了時刻設定に関係なく即座に運転を開始するボタン２９ｏを表示し、Ｓ９にて使用者がボタン２９ｏを押下した場合（予約待機をせずに）すぐにＳ３の処理に移行して運転コースを開始する。
【００５８】
これにより、使用者に対しては（予約運転の終了時刻設定の画面を再度表示させることにより）運転コースは予約終了時刻に終えることができないことを知らせつつ、使用者は（割り切って）直ちに運転コースを開始させることができる。
【産業上の利用可能性】
【００５９】
以上のように、本発明にかかる洗濯乾燥システムは、使用者が予約運転を行う際に、今から直ちに運転コースを開始したとしても運転コースを終える時刻が予約運転の終了時刻を明らかに超えるような設定を行った場合に、予約設定直後に、再度、使用者に予約運転の終了時刻を設定し直させるようにしたもので、安定して予約運転を設定した終了時刻に終えることが可能となるので、情報端末装置にネットワーク接続されたエアコン、電子レンジ、冷蔵庫、給湯器など家電製品において精度の高い予約運転設定などの用途にも適用できる。
【図面の簡単な説明】
【００６０】
【図１】本発明の実施の形態１の洗濯乾燥システムのシステムブロック図
【図２】本発明の実施の形態１の情報端末装置３７の内部ブロック図
【図３】本発明の実施の形態１の制御手段３８の動作フローチャート
【図４】本発明の実施の形態２の制御手段３８の動作フローチャート
【図５】本発明の実施の形態２の表示手段２９に表示する異常報知画面を示す図
【図６】本発明の実施の形態３の制御手段３８の動作フローチャート
【図７】本発明の実施の形態３の表示手段２９に表示する終了時刻設定画面を示す図
【図８】本発明の実施の形態４の制御手段３８の動作フローチャート
【図９】本発明の実施の形態５の制御手段３８の動作フローチャート
【図１０】本発明の実施の形態５の表示手段２９に表示する終了時刻設定画面を示す図
【図１１】従来の洗濯乾燥システムのシステムブロック図
【図１２】従来の洗濯乾燥装置１の縦断面図
【図１３】従来の洗濯乾燥装置１の内部ブロック図
【図１４】従来の情報端末装置２の内部ブロック図
【図１５】従来の情報端末装置２の正面図
【図１６】従来の表示手段２９に表示する機器状態表示画面を示す図
【図１７】従来の表示手段２９に表示する予約メニュー画面を示す図
【図１８】従来の表示手段２９に表示する運転コース選択画面を示す図
【図１９】従来の表示手段２９に表示する終了時刻設定画面を示す図
【図２０】従来の洗濯乾燥システムの制御手段３２の動作フローチャート
【符号の説明】
【００６１】
１  洗濯乾燥装置
２５  洗濯乾燥制御手段
２６  操作手段
２７ａ  洗濯乾燥装置のデータ通信手段
２７ｂ  情報端末装置のデータ通信手段
２８  通信回線接続手段
２９  表示手段
３０  入力設定手段
３１  音声出力手段
３３  運転内容設定手段
３４  終了時刻設定手段
３７  情報端末装置
３８  制御手段
【図１】
2005110967.tif 000003
【図２】
2005110967.tif 000004
【図３】
2005110967.tif 000005
【図４】
2005110967.tif 000006
【図５】
2005110967.tif 000007
【図６】
2005110967.tif 000008
【図７】
2005110967.tif 000009
【図８】
2005110967.tif 000010
【図９】
2005110967.tif 000011
【図１０】
2005110967.tif 000012
【図１１】
2005110967.tif 000013
【図１２】
2005110967.tif 000014
【図１３】
2005110967.tif 000015
【図１４】
2005110967.tif 000016
【図１５】
2005110967.tif 000017
【図１６】
2005110967.tif 000018
【図１７】
2005110967.tif 000019
【図１８】
2005110967.tif 000020
【図１９】
2005110967.tif 000021
【図２０】
2005110967.tif 000022